(57)【特許請求の範囲】
【請求項１】
ブロック板(1)とジョイント(21)の組み合わせから成り、ブロック板(1)に周囲各辺に臨む受口(2)を設け、ジョイント(21)に複数のプラグ(22)を異なる方向へ向けて突設し、プラグ(22)を受口(2)に差し込んでブロック板(1)同士を連結する組立てブロックにおいて、前記ブロック板(1)を、帯状で可撓性を有するものとし、その端縁に臨んで複数の受口(2)を並べて配置し、ジョイント(21)のプラグ(22)の外縁を受口(2)の奥縁部に盛り上がる突当壁(4)に当接させ、プラグ(22)の基部から両側へ張り出す側延部(24)をブロック板(1)の端縁に当接させて、ブロック板(1)に対しジョイント(21)を位置決めし、ブロック板(1)にジョイント(21)を接続した状態で、ブロック板(1)を撓ませることができるようにしたことを特徴とする組立てブロック。
【発明の詳細な説明】
【技術分野】
【０００１】
この発明は、ブロック板をジョイントを介して順次連結することにより、三次元的な立体を組み立てることができる組立てブロックに関するものである。
【背景技術】
【０００２】
従来、本出願人は、下記特許文献１に記載した発明に基づいて、図１３に示すように、平面形状が正方形及び正三角形のブロック板１１と、このブロック板１１同士を連結するジョイント２１との組み合わせから成るプラスチック製剛体の組立てブロックを提供しており、このような組立てブロックが流通している。
【０００３】
このブロック板１１の周囲各辺には、窪んだ部分に受口１２が形成され、受口１２には突条１３が設けられている。ジョイント２１には、二股状のプラグ２２が少なくとも二方向へ向けて突設されると共に、プラグ２２の内面には彫溝２３が設けられ、プラグ２２の基部から両側へ角柱状の側延部２４が張り出している。
【０００４】
このようなブロック板１１同士を連結する際、ブロック板１１の受口１２にジョイント２１のプラグ２２を嵌めると、プラグ２２の外縁が受口１２の奥側の段差に当接すると共に、突条１３が彫溝２３に係合し、側延部２４がブロック板１１の外周面に当接して、連結状態を安定させる。
【０００５】
ジョイント２１には連結態様に応じて種類があり、図示のように、プラグ２２が同一平面で二方向に突出する基本的なもののほか、直交する二方向に突出するもの、直交する三方向に突出するもの、１２０°の角度で二方向に突出するもの、プラグ２２の基端間の距離が大きなものなどが用意されている。
【０００６】
また、本出願人は、下記特許文献２において、ブロック板に形成した台座部と挟持片との間に、可撓性を有する板状のジョイントを差し込んで、ブロック板同士を連結することにより、ジョイントを任意の角度に曲げて、ブロック板のなす角度を変えられるようにしたものを提案している。
【先行技術文献】
【特許文献】
【０００７】
【特許文献１】特許第３２２１６３７号公報
【特許文献２】国際公開第２００７／１３６０４７号
【発明の概要】
【発明が解決しようとする課題】
【０００８】
しかしながら、図１３に示す既存の組立てブロックでは、ブロック板及びジョイントが共に平面的な剛体であることから、滑らかな曲面を有する作品を組み立てることができないという問題がある。
【０００９】
また、特許文献２に記載の組立てブロックでは、広く流通している既存の組立てブロックと組み合わせて作品を組み立てることができず、既存の組立てブロックのユーザーに購買を促す訴求性がないという問題がある。
【００１０】
そこで、この発明は、滑らかな曲面を有する多様な形状の作品を、既存の組立てブロックを活用しつつ組み立てられるようにすることを課題とする。
【課題を解決するための手段】
【００１１】
上記のような課題を解決するため、この発明は、ブロック板とジョイントの組み合わせから成り、ブロック板に周囲各辺に臨む受口を設け、ジョイントに複数のプラグを異なる方向へ向けて突設し、プラグを受口に差し込んでブロック板同士を連結する組立てブロックにおいて、前記ブロック板を、帯状で可撓性を有するものとし、その端縁に臨んで複数の受口を並べて配置し、ジョイントのプラグの外縁を受口の奥縁部に盛り上がる突当壁に当接させ、プラグの基部から両側へ張り出す側延部をブロック板の端縁に当接させて、ブロック板に対しジョイントを位置決めし、ブロック板にジョイントを接続した状態で、ブロック板を撓ませることができるようにしたのである。
【発明の効果】
【００１２】
この組立てブロックでは、ブロック板自体を撓ませて湾曲させることができるので、ブロック板同士をジョイントを介して連結することにより、滑らかな曲面を有する多様な形状の作品を組み立てることができる。
【００１３】
また、ジョイントを既存の組立てブロックと共通化しているので、既存の組立てブロックのユーザーは、この組立てブロックを追加して購入することにより、組み立てられる立体の多様性をさらに広げることができる。
【図面の簡単な説明】
【００１４】
【図１】この発明に係る直端形式ブロック板の（ａ）２連型、（ｂ）３連型、（ｃ）４連型、（ｄ）広間隔３連型の各実施形態を示す斜視図
【図２】斜端形式ブロック板の（ａ）菱型、（ｂ）台形型、（ｃ）平行四辺形型の各実施形態を示す斜視図
【図３】ジョイントの（ａ）二方向基本型、（ｂ）直交二方向型、（ｃ）直交三方向型、（ｄ）直交四方向型、（ｅ）二方向広間隔型の各種形態を示す斜視図
【図４】ブロック板とジョイントの接続状態を示す斜視図
【図５】ブロック板同士のジョイントを介した連結過程を示す斜視図
【図６】同上の連結状態を示す断面図
【図７】ブロック板の弓状湾曲状態を示す斜視図
【図８】ブロック板の弓状湾曲状態を示す斜視図
【図９】ブロック板の捻り湾曲状態を示す斜視図
【図１０】３方向ジョイントによるブロック板の連結状態を示す斜視図
【図１１】斜端形式ブロック板と広間隔型ジョイントの使用例を示す平面図
【図１２】この発明に係るブロック板と既存のブロック板とをジョイントを介して組み合わせた例を示す斜視図
【図１３】既存の組立てブロックを示す斜視図
【発明を実施するための形態】
【００１５】
以下、この発明の実施形態を添付図面に基づいて説明する。
【００１６】
この組立てブロックは、図１及び図２に示すような帯状のプラスチック製の薄板から成り可撓性を有するブロック板１と、図３に示すようなプラスチック製の剛体であるジョイント２１とから構成される。ジョイント２１は、図１２に示す既存の組立てブロックで使用するものと共通である。
【００１７】
図１に示すブロック板１は、長方形状で長辺に対し短辺が直角をなす直端形式のものであり、図２に示すブロック板１は、長手方向に対し両端側の辺が傾斜した斜端形式のものである。これらのブロック板１には、ジョイント２１を接続するため、周囲各辺に臨む半円状の受口２が設けられている。
【００１８】
各ブロック板１の受口２の差込端に臨む部分には、ジョイント２１の差込方向に交差した方向に延びる突条３が形成されている。受口２の奥縁部には、半環状に盛り上がった突当壁４が設けられている。
【００１９】
図１（ａ）、（ｂ）、（ｃ）に示すブロック板１の周囲各辺には、既存の正方形のブロック板１１を、図３（ａ）に示す基本型のジョイント２１を介し２個、３個、４個一列に連結した場合の寸法に対応して、それぞれ受口２が配置されている。
【００２０】
図１（ｄ）に示すブロック板１の周囲各辺には、既存の正方形のブロック板１１を、図３（ｅ）に示す広間隔型のジョイント２１を介し３個一列に連結した場合の寸法に対応して、それぞれ受口２が配置されている。
【００２１】
図２（ａ）、（ｂ）、（ｃ）に示すブロック板１の周囲各辺には、既存の正三角形のブロック板１１を、図３（ａ）に示す基本型のジョイント２１を介し２個、３個、６個一列に連結した場合の寸法に対応して、それぞれ受口２が配置されている。
【００２２】
図３に示す各ジョイント２１は、二股状のプラグ２２の内面に彫溝２３を設け、プラグ２２の基部から両側へ角柱状の側延部２４を張り出すように設けた構成とされている。
【００２３】
図３（ａ）に示すジョイント２１は、プラグ２２が同一平面内で二方向へ突出した基本型のものであり、図３（ｂ）、（ｃ）、（ｄ）に示すジョイント２１は、それぞれプラグ２２が直交する二方向、三方向、四方向へ突出したものである。
【００２４】
また、図３（ｅ）に示すジョイント２１は、プラグ２２の基端の間隔が基本型よりも広くなったものであり、既存の正三角形のブロック板１１を交互に向きを反転させて連結した場合や、図１（ｄ）又は図２（ｂ）、（ｃ）に示すブロック板１を使用した場合に生じる広い間隙部での接続に対応している。
【００２５】
なお、この組立てブロックでは、後述のように、ブロック板１自体を湾曲させることができるので、既存の組立てブロックのように、プラグ２２が１２０°の角度で二方向に突出するものを使用する必要はない。
【００２６】
このような組立てブロックにおいて、ブロック板１同士をジョイント２１により接続する際には、図４乃至図６に示すように、ジョイント２１のプラグ２２をブロック板１の受口２に差し込む。
【００２７】
そして、プラグ２２の外縁を突当壁４に当接させ、側延部２４をブロック板１の端縁に当接させて、ブロック板１に対しジョイント２１を位置決めすると共に、突条３と彫溝２３とを係合させて、受口２からプラグ２２を抜け止めする。
【００２８】
上記ブロック板１は、受口２に接続したジョイント２１が剛体であっても、図７乃至図９に示すように、弾性限界の範囲内において、撓ませて弓状に、又は捻るように湾曲させることができるので、ブロック板１同士をジョイント２１を介して連結することにより、滑らかな曲面を有する多様な形状の作品を組み立てることができる。
【００２９】
ここで、図１０は、図３（ｃ）に示す直交三方向型のジョイント２１を使用して、直端形式のブロック板１を三方向に連結した例を示す。また、図１１は、図２（ｂ）の台形型のブロック板１と図２（ｃ）に示す平行四辺形型のブロック板１とを、既存の正方形のブロック板１１を介在させて連結した例を示す。この場合、隣り合う正方形のブロック板１１同士は、図３（ｅ）に示す広間隔型のジョイント２１で連結することができる。
【００３０】
さらに、図１２は、ブロック板１と既存のブロック板１１とを組み合わせて連結し、ブロック板１を湾曲させて立体を構成する例を示す。このように、ブロック板１と既存のブロック板１１とを組み合わせると、複雑で多様な立体を組み立てることができるので、既存の組立てブロックのユーザーの創作意欲を高め、購買を促すことができる。
【符号の説明】
【００３１】
１  ブロック板
２  受口
３  突条
４  突当壁
１１  ブロック板
１２  受口
１３  突条
２１  ジョイント
２２  プラグ
２３  彫溝
２４  側延部
【図１】
0005535964.tif 000002
【図２】
0005535964.tif 000003
【図３】
0005535964.tif 000004
【図４】
0005535964.tif 000005
【図５】
0005535964.tif 000006
【図６】
0005535964.tif 000007
【図７】
0005535964.tif 000008
【図８】
0005535964.tif 000009
【図９】
0005535964.tif 000010
【図１０】
0005535964.tif 000011
【図１１】
0005535964.tif 000012
【図１２】
0005535964.tif 000013
【図１３】
0005535964.tif 000014